(57)【要約】【課題】  コンテンツの配信をより迅速かつより広範に行うことができるコンテンツ配信システム及びコンテンツ配信方法を提供すること。【解決手段】  コンテンツ配信システム１では、放送網５０を介して不完全データを端末装置２０に送信するので、コンテンツデータの一部閲覧を多くの端末装置２０において実行させることができる。コンテンツデータの欠落部分Ｂ及びＣは通信網３０を介して補完するので、どの端末装置２０に対して欠落部分の補完を行ったかを把握することができる。そして、放送網５０を介して送信される不完全データと通信網３０を介して送信される補完データとを合成してコンテンツデータを復元するので、例えば、不完全データを閲覧したユーザがその閲覧した不完全データをサンプルとして補完データを要求し、完全なコンテンツデータを入手することができる。【選択図】  図１
2006060325.tif 000002
【特許請求の範囲】
【請求項１】
ユーザが使用する端末装置から送信される、コンテンツの利用要求に応じて前記端末装置に前記コンテンツを配信するコンテンツ配信システムであって、
前記コンテンツの利用に必要なコンテンツデータの一部を欠落させた不完全データを生成する不完全データ生成手段と、
放送網を介して前記不完全データを前記端末装置に送信する不完全データ送信手段と、
前記不完全データの欠落部分の補完を要求する補完要求情報を前記端末装置が属する通信網に向けて送信する補完要求送信手段と、
前記補完要求情報の受信に応じて前記不完全データの欠落部分を補完する補完データを生成する補完データ生成手段と、
前記通信網を介して前記補完データを前記端末装置に送信する補完データ送信手段と、
前記不完全データと前記補完データとを合成して前記コンテンツデータを復元するコンテンツ復元手段と、を備えることを特徴とするコンテンツ配信システム。
【請求項２】
前記不完全データ生成手段は、生成する前記不完全データにおける欠落パターンを複数有していることを特徴とする請求項１記載のコンテンツ配信システム。
【請求項３】
前記不完全データ送信手段による前記不完全データの送信時刻を示す情報を、前記不完全データと前記不完全データの生成元の前記コンテンツデータとに付加する時刻情報付加手段を更に有することを特徴とする請求項１又は２記載のコンテンツ配信システム。
【請求項４】
前記補完データ送信手段による前記補完データの送信に応じて、前記端末装置のユーザへの課金情報を生成する課金情報生成手段を更に有することを特徴とする請求項１〜３のいずれか一項記載のコンテンツ配信システム。
【請求項５】
補完データ生成手段によって生成される前記補完データに含まれる、前記不完全データ生成手段による欠落に対する補完部分と、前記端末装置と前記放送網との接続品質の低下によって発生した欠落に対する補完部分とを判別するデータ判別手段を更に有し、
前記課金情報生成手段は、前記不完全データ生成手段による欠落に対する補完部分の送信に応じて課金情報を生成することを特徴とする請求項１〜４のいずれか一項記載のコンテンツ配信システム。
【請求項６】
ユーザが使用する端末装置から送信される、コンテンツの利用要求に応じて前記端末装置に前記コンテンツを配信するコンテンツ配信方法であって、
前記コンテンツの利用に必要なコンテンツデータの一部を欠落させた不完全データを生成する不完全データ生成ステップと、
放送網を介して前記不完全データを前記端末装置に送信する不完全データ送信ステップと、
前記不完全データの欠落部分の補完を要求する補完要求情報を前記端末装置が属する通信網に向けて送信する補完要求送信ステップと、
前記補完要求情報の受信に応じて前記不完全データの欠落部分を補完する補完データを生成する補完データ生成ステップと、
前記通信網を介して前記補完データを前記端末装置に送信する補完データ送信ステップと、
前記不完全データと前記補完データとを合成して前記コンテンツデータを復元するコンテンツ復元ステップと、を備えることを特徴とするコンテンツ配信方法。
【発明の詳細な説明】
【技術分野】
【０００１】
本発明は、コンテンツ配信システム及びコンテンツ配信方法に関する。
【背景技術】
【０００２】
コンテンツを提供するための技術として、例えば特許文献１に開示された情報提供システムがある。この情報提供システムは、欠落部分を有する不完全データを記録した記録媒体からこの不完全データを読み取るユーザ側の端末装置と、この端末装置から送信されたデータの欠落部分を補完する補完データを保有する情報管理装置とを有している。そして、端末装置において不完全データと補完データとを合成することで、特定のユーザに対してコンテンツを閲覧させることができるようになっている。
【特許文献１】特開２００２−１４６８１号公報
【発明の開示】
【発明が解決しようとする課題】
【０００３】
ところで、記録媒体を介してコンテンツのやり取りを行う場合、記録媒体の授受によらなければならないためコンテンツを迅速に配信することが困難である。また、コンテンツに最初から興味のあるユーザしか記録媒体を入手しない場合が多く、広範なユーザにコンテンツを配信することが困難である。
【０００４】
本発明はこのような事情を鑑みてなされたもので、コンテンツの配信をより迅速かつより広範に行うことができるコンテンツ配信システム及びコンテンツ配信方法を提供することを目的とする。
【課題を解決するための手段】
【０００５】
上記課題の解決のため、本発明に係るコンテンツ配信システムは、ユーザが使用する端末装置から送信される、コンテンツの利用要求に応じて端末装置にコンテンツを配信するコンテンツ配信システムであって、コンテンツの利用に必要なコンテンツデータの一部を欠落させた不完全データを生成する不完全データ生成手段と、放送網を介して不完全データを端末装置に送信する不完全データ送信手段と、不完全データの欠落部分の補完を要求する補完要求情報を端末装置が属する通信網に向けて送信する補完要求送信手段と、補完要求情報の受信に応じて不完全データの欠落部分を補完する補完データを生成する補完データ生成手段と、通信網を介して補完データを端末装置に送信する補完データ送信手段と、不完全データと補完データとを合成してコンテンツデータを復元するコンテンツ復元手段と、を備えることを特徴としている。
【０００６】
本発明のコンテンツ配信システムによれば、不完全データを端末装置に送信するので、端末装置においてコンテンツデータの一部を閲覧することができる。不完全データの送信は放送網を介して行うので、コンテンツデータの一部閲覧を多くの端末装置において実行させることができる。コンテンツデータの欠落部分は通信網を介して補完するので、どの端末装置に対して欠落部分の補完を行ったかを把握することができる。放送網を介して送信される不完全データと通信網を介して送信される補完データとを合成してコンテンツデータを復元するので、例えば、不完全データを閲覧したユーザがその閲覧した不完全データをサンプルとして補完データを要求し、完全なコンテンツデータを入手することができる。
【０００７】
また、不完全データ生成手段は、生成する不完全データにおける欠落パターンを複数有していることも好ましい。この場合、例えば不完全データの欠落パターンを随時変更することにより、第三者による不法行為（違法コピー、模倣など）を抑制することができる。
【０００８】
また、不完全データ送信手段による不完全データの送信時刻を示す情報を、不完全データと不完全データの生成元のコンテンツデータとに付加する時刻情報付加手段を更に有することも好ましい。この場合、不完全データの送信時刻を基準として、不完全データとその生成元であるコンテンツデータとを対応付けることができる。そのため、不完全データの欠落部分を正確に把握することができ、補完データの生成に要する処理を迅速かつ確実に行うことが可能となる。これにより、端末装置におけるコンテンツの復元精度を向上させることができる。
【０００９】
また、補完データ送信手段による補完データの送信に応じて、端末装置のユーザへの課金情報を生成する課金情報生成手段を更に有することも好ましい。この場合、完全なコンテンツの閲覧を希望するユーザに対して課金が発生するので、ユーザに対してコンテンツの内容に見合った課金を行うことができる。
【００１０】
また、補完データ生成手段によって生成される補完データに含まれる、不完全データ生成手段による欠落に対する補完部分と、端末装置と放送網との接続品質の低下によって発生した欠落に対する補完部分とを判別するデータ判別手段を更に有し、課金情報生成手段は、不完全データ生成手段による欠落に対する補完部分の送信に応じて課金情報を生成することも好ましい。この場合、ユーザに対する課金が端末装置と放送網との接続状態に依存しないので、ユーザに対してより適切な課金を行うことができる。
【００１１】
また、本発明に係るコンテンツ配信方法は、ユーザが使用する端末装置から送信される、コンテンツの利用要求に応じて端末装置にコンテンツを配信するコンテンツ配信方法であって、コンテンツの利用に必要なコンテンツデータの一部を欠落させた不完全データを生成する不完全データ生成ステップと、放送網を介して不完全データを端末装置に送信する不完全データ送信ステップと、不完全データの欠落部分の補完を要求する補完要求情報を端末装置が属する通信網に向けて送信する補完要求送信ステップと、補完要求情報の受信に応じて不完全データの欠落部分を補完する補完データを生成する補完データ生成ステップと、通信網を介して補完データを端末装置に送信する補完データ送信ステップと、不完全データと補完データとを合成してコンテンツデータを復元するコンテンツ復元ステップと、を備えることを特徴としている。
【００１２】
本発明のコンテンツ配信方法によれば、不完全データを端末装置に送信するので、端末装置においてコンテンツデータの一部を閲覧することができる。不完全データの送信は放送網を介して行うので、コンテンツデータの一部閲覧を多くの端末装置において実行させることができる。コンテンツデータの欠落部分は通信網を介して補完するので、どの端末装置に対して欠落部分の補完を行ったかを把握することができる。放送網を介して送信される不完全データと通信網を介して送信される補完データとを合成してコンテンツデータを復元するので、例えば、不完全データを閲覧したユーザがその閲覧した不完全データをサンプルとして補完データを要求し、完全なコンテンツデータを入手することができる。
【発明の効果】
【００１３】
以上のように、本発明によれば、コンテンツの配信をより迅速かつより広範に行うことができる。
【発明を実施するための最良の形態】
【００１４】
以下、図面を参照しながら本発明に係るコンテンツ配信システム及びコンテンツ配信方法の好適な実施形態について詳細に説明する。
【００１５】
図１は、本発明に従って構成されたコンテンツ配信システム１の一実施形態を示す構成図である。図１を参照しながらコンテンツ配信システム１の構成について説明する。コンテンツ配信システム１は、配信サーバ１０と、端末装置２０と、課金サーバ４０とを備えている。配信サーバ１０はコンテンツを配信するためのサーバである。配信サーバ１０から端末装置２０へは放送網５０を介してコンテンツが配信される。配信サーバ１０と端末装置２０とは通信網３０を介して相互に情報通信が可能なようにも構成されている。課金サーバ４０は配信サーバ１０に接続されており、配信サーバ１０から出力される情報に基づいて課金処理を行う。上述の構成によりコンテンツ配信システム１は、端末装置２０に対してコンテンツの一部をストリーミング可能とし、端末装置２０から完全なコンテンツの利用要求があったときに、補完データを配信するシステムとして構成されている（詳細は後述する）。引き続いて、コンテンツ配信システム１の各構成要素について説明する。
【００１６】
配信サーバ１０について説明する。配信サーバ１０は、物理的には、ＣＰＵ、メモリ、通信インタフェイス、ハードディスクといった格納部、ディスプレイといった表示部、等を備えたコンピュータシステムである。
【００１７】
また、配信サーバ１０は、機能的な構成要素として、コンテンツデータ格納部１０１、不完全データ生成部（不完全データ生成手段）１０２、不完全データ送信部（不完全データ送信手段）１０３、時刻情報付与部（時刻情報付与手段）１０４、補完データ要求受信部１０５、補完データ生成部（補完データ生成手段）１０６、データ判別部（データ判別手段）１０７、補完データ送信部（補完データ送信手段）１０８、課金情報生成部（課金情報生成手段）１０９、を備えている。引き続いて、配信サーバ１０の各構成要素について説明する。
【００１８】
コンテンツデータ格納部１０１は、このコンテンツ配信システム１によって配信されるコンテンツの利用に必要なコンテンツデータを格納している部分である。ここでいうコンテンツデータには、例えば音楽データ、映像データ、地図データ、情報検索用データなどの各種データが含まれる。
【００１９】
不完全データ生成部１０２は、コンテンツデータ格納部１０１に格納されているコンテンツデータの一部を意図的に欠落させた不完全データを生成する部分である。この不完全データの例を図２の（ａ）に示す。図２の（ａ）に示す例では、正常部分Ａ（斜線を付した升目）と欠落部分Ｂ（白抜きの升目）とが予め定められたパターンで連続するデータが生成されている。このような欠落部分Ｂは、正常部分Ａを空データやノイズデータに置き換えることで生成される。不完全データ生成部１０２は生成した不完全データを不完全データ送信部１０３に出力する。
【００２０】
なお、不完全データ生成部１０２は、欠落部分Ｂの生成パターンを複数有している。そして、例えば日毎あるいは月毎に欠落部分Ｂの生成パターンが随時変更されるように設定されている。
【００２１】
不完全データ送信部１０３は、不完全データ生成部１０２から受け取った不完全データを、放送網５０を介して端末装置２０に送信（放送）する部分である。この放送網５０により、不完全データは放送波を媒体として迅速かつ広範に端末装置２０に向けて送信される。
【００２２】
時刻情報付与部１０４は、不完全データ送信部１０３による不完全データの送信時刻を示す情報を、不完全データと不完全データの生成元のコンテンツデータとに付加する部分である。この時刻情報付与部１０４には、ＧＰＳ（Ｇｒｏｂａｌ  Ｐｏｓｉｔｉｏｎｉｎｇ  Ｓｙｓｔｅｍ）を用いた基準時計（以下、ＧＰＳ時計と称す）が備えられている（図示しない）。そして、時刻情報付与部１０４は、このＧＰＳ時計から取得する時刻情報に基づいて、不完全データに対してその送信時刻を示すインデックスを作成する。図２の（ａ）に例示した不完全データにインデックスを作成した例を図２の（ｂ）に示す。図２の（ｂ）に示す例では、最初のデータパケットには「１３：００：００」との送信時刻が、先頭から２０番目のデータパケットには「１３：００：０１」との送信時刻がそれぞれインデックスとして付与されている。この時刻情報付き不完全データは、端末装置２０に向けて送信されるものとは別に複製され、コンテンツデータ格納部１０１に保存される。
【００２３】
一方、図２の（ｃ）に不完全データの生成元のコンテンツデータにインデックスを作成した例を示す。図２の（ｃ）に示すように、このコンテンツデータ自体は正常部分Ａのみから構成されている。そして、コンテンツデータの最初のデータパケットには「１３：００：００」との送信時刻が、先頭から２０番目のデータパケットには「１３：００：０１」との送信時刻がそれぞれインデックスとして付与されている。これにより、不完全データの送信時刻を基準として、不完全データとその生成元であるコンテンツデータ中との対応付けがなされる。
【００２４】
なお、上述した不完全データ送信部１０３により、放送網５０を介して端末装置２０に送信される不完全データは、通常図２の（ｂ）に示した不完全データと一致する。しかし、放送網５０と端末装置２０との距離や位置関係によっては、接続品質の低下によるデータの欠落が発生する場合がある。このような欠落が生じた場合の不完全データの例を図２の（ｄ）に示す。図２の（ｄ）に示した例では、先頭から４番目及び５番目のデータパケットが接続品質の低下による欠落部分Ｃ（梨地の升目）となっている。
【００２５】
補完データ要求受信部１０５は、不完全データの欠落部分の補完を要求する補完要求情報を、通信網３０を介して端末装置２０から受信する部分である。ここでいう欠落部分の補完には、上述した欠落部分Ｂ及び欠落部分Ｃの双方の補完が含まれる。そのため、補完要求情報には欠落部分Ｂ及び欠落部分Ｃに相当するデータパケットを特定するための情報が含まれる。このデータパケットの特定には、上述した送信時刻を示すインデックスが基準として用いられる。図２の（ｄ）に示した不完全データを例にとれば、補完すべきデータパケットは「１３：００：００」のインデックスを持つデータパケットを基準（先頭）として４〜７番目、１２〜１４番目、及び１９番目と特定される。同様にして、「１３：００：０１」以降のインデックスを持つデータパケットについても補完すべきデータパケットが特定される。補完データ要求受信部１０５は、受信した補完要求情報を補完データ生成部１０６に出力する。
【００２６】
補完データ生成部１０６は、補完データ要求受信部１０５から補完要求情報を受け取って、不完全データの欠落部分を補完する補完データを生成する部分である。より具体的には、補完データ生成部１０６はコンテンツデータ格納部１０１を参照し、補完要求情報によって特定されたデータパケットを不完全データの生成元であるコンテンツデータから読み出して補完データを生成する。補完データ生成部１０６は、生成した補完データを補完データ送信部１０８に出力する。
【００２７】
また、補完データ生成部１０６はデータ判別部１０７を有している。このデータ判別部１０７は、補完データに含まれる欠落部分Ｂに対する補完部分と、欠落部分Ｃに対する補完部分との判別を行う部分である。判別に際し、データ判別部１０７はコンテンツデータ格納部１０１を参照し、格納されている不完全データ（図２（ｂ）参照）と、その生成元であるコンテンツデータ（図２（ｃ）参照）とを比較してデータの差分を検出する。そして、補完データ生成部１０６は、補完データに含まれるデータパケットのうち、差分データと一致するデータパケットを欠落部分Ｂに対する補完部分と判別する。また、差分データと一致しないデータパケットがある場合には、そのデータパケットを欠落部分Ｃに対する補完部分と判別する。データ判別部１０７は、判別結果を示す判別結果情報を生成し、この情報を課金情報生成部１０９に出力する。
【００２８】
補完データ送信部１０８は、補完データ生成部１０６から受け取った補完データを、通信網３０を介して端末装置２０に送信する部分である。
【００２９】
課金情報生成部１０９は、補完データ送信部１０８による補完データの送信に応じて、端末装置２０のユーザへの課金情報を生成する部分である。課金情報生成部１０９は、データ判別部１０７から受け取った判別結果情報に基づき、欠落部分Ｂの補完に対して課金情報を生成する。一方で、欠落部分Ｃの補完に対しては課金情報を生成しない。生成された課金情報は課金サーバ４０に送信され、この課金サーバ４０によって端末装置２０のユーザ毎に課金額等の管理がなされる。
【００３０】
なお、課金情報生成部１０９における課金情報の生成にあたっては、コンテンツの種類などに応じて様々な設定が可能である。例えば、コンテンツの補完回数に応じて課金が発生するように設定してもよく、補完データのデータ量に比例させて課金が発生するように設定してもよい。
【００３１】
次に、端末装置２０について説明する。端末装置２０は、コンテンツ配信システム１を利用するユーザがコンテンツの視聴をするための装置として構成されている。この端末装置２０は、例えば自動車の車内設備として搭載される。端末装置２０は、物理的には、ＣＰＵ（中央処理装置）、メモリといった記憶装置、プッシュボタンといった入力装置等を有している。
【００３２】
また、端末装置２０は、機能的な構成要素として、コンテンツデータ受信部２０１、コンテンツデータ蓄積部２０２、コンテンツ再生部２０３、補完データ要求送信部（補完データ要求送信手段）２０４、補完データ受信部２０５、コンテンツ復元部（コンテンツ復元手段）２０６、を備えている。引き続いて、端末装置２０の各構成要素について説明する。
【００３３】
コンテンツデータ受信部２０１は、配信サーバ１０から放送網５０を介して送信される不完全データを受信する部分である。コンテンツデータ受信部２０１は、例えば放送波を受信するためのアンテナや、放送波からデータを取り出すための復調器などを備えている。コンテンツデータ受信部２０１は、受信した不完全データをコンテンツデータ蓄積部２０２に出力する。
【００３４】
コンテンツデータ蓄積部２０２は、コンテンツデータ受信部２０１から受け取った不完全データを蓄積する部分である。このコンテンツデータ蓄積部２０２は、不完全データを所定の期間保存する。
【００３５】
コンテンツ再生部２０３は、コンテンツの再生を行う部分である。コンテンツ再生部２０３は、例えばディスプレイ、スピーカ、及びその制御部などを備えている。コンテンツ再生部２０３は、ユーザ操作部（図示しない）によってコンテンツ再生を指示する指示情報を受けると、コンテンツデータ蓄積部２０２に蓄積されている不完全データを用いてコンテンツの再生を行う。
【００３６】
このとき、コンテンツ再生部２０３ではコンテンツの一部のみが再生される。例えば、音楽配信の場合ではイントロ部分のみの視聴が可能であったり、録音機能が制限されたりすることとなる。この一部再生の後、端末装置２０は、ユーザからの補完データ要求のための操作を待ち受ける状態となる。一部再生されたコンテンツの視聴により、このコンテンツに興味を持ったユーザは、補完データ要求送信部２０４を通じて配信サーバ１０に補完データを要求することができる。
【００３７】
補完データ要求送信部２０４は、不完全データの欠落部分の補完を要求する補完要求情報を送信する部分である。補完要求情報には、上述したように欠落部分Ｂ及び欠落部分Ｃを特定するための情報などが含まれる。補完データ要求送信部２０４は、ユーザ操作部（図示しない）から補完データ要求の送信を指示する指示情報を受けると、通信網３０を介して配信サーバ１０に補完要求情報を送信する。
【００３８】
補完データ受信部２０５は、通信網３０を介して配信サーバ１０から補完データを受信する部分である。補完データ受信部２０５は、受信した補完データをコンテンツ復元部２０６に出力する。
【００３９】
コンテンツ復元部２０６は、不完全データと補完データとを合成してコンテンツデータを復元する部分である。コンテンツ復元部２０６は、補完データ受信部２０５から補完データを受け取ると、その補完データに対応する不完全データをコンテンツデータ蓄積部２０２から読み出して、これらの合成を行う。これにより、完全なコンテンツ再生を可能とするコンテンツデータが復元される。復元後のコンテンツデータはコンテンツ再生部２０３に出力され、このコンテンツ再生部２０３において完全なコンテンツの再生がなされる。
【００４０】
続いて、図３に示すシーケンス図を参照しながら上述したコンテンツ配信システム１の動作について説明する。
【００４１】
まず、不完全データ生成部１０２によって、コンテンツデータ格納部１０１からコンテンツデータの読み出される。そして、このコンテンツデータの正常部分Ａを所定のパターンで欠落部分Ｂに置き換えることで不完全データの生成が行われる（ステップＳ０１）。作成された不完全データは不完全データ送信部１０３に出力される。このとき、時刻情報付与部１０４によって、不完全データとその生成元となるコンテンツデータとに、その送信時刻を示すインデックスが付与される（ステップＳ０２）。その後、不完全データは、不完全データ送信部１０３により放送網５０を介して端末装置２０に送信される（ステップＳ０３）。
【００４２】
不完全データを受信した端末装置２０では、コンテンツ再生部２０３によってコンテンツの一部再生がなされる（ステップＳ０４）。このとき、ユーザはコンテンツの一部を閲覧することができる。そして、端末装置２０は、ユーザからのコンテンツの補完要求を待機する状態となる（ステップＳ０５）。
【００４３】
ステップＳ０５において、ユーザがコンテンツの完全な再生を希望した場合、ユーザによる端末装置２０の操作によって補完データ要求送信部２０４から配信サーバ１０の補完データ要求受信部１０５に向けて、通信網３０を介して補完データ要求情報が送信される（ステップＳ０６）。
【００４４】
補完データ要求受信部１０５によって受信された補完データ要求情報は、補完データ生成部１０６に出力される。補完データ生成部１０６は、補完要求情報を受け取ると、この補完要求情報によって特定された不完全データの欠落部分を補完するための補完データを生成する（ステップＳ０７）。生成された補完データは補完データ送信部１０８に出力され、この補完データ送信部１０８によって通信網３０を介して端末装置２０の補完データ受信部２０５に送信される（ステップＳ０８）。
【００４５】
補完データ受信部２０５は、受信した補完データをコンテンツ復元部２０６に出力する。コンテンツ復元部２０６は補完データを受け取ると、コンテンツデータ蓄積部２０２を参照し、既に受信した不完全データと補完データとを合成してコンテンツデータを復元する。復元したコンテンツデータはコンテンツ再生部２０３に出力され、これにより、コンテンツの完全再生がなされる（ステップＳ０９）。
【００４６】
一方、ステップＳ０８において配信サーバ１０から端末装置２０に対して補完データの送信がなされた後、データ判別部１０７において補完データの判別が行われる（ステップＳ１０）。すなわち、補完データに含まれるデータのうち、欠落部分Ｂに対する補完部分と、欠落部分Ｃに対する補完部分との判別がなされる。この判別結果を示す判別結果情報は課金情報生成部１０９に出力される。課金情報生成部１０９は、受け取った判別結果情報に基づいて、端末装置２０のユーザに対する課金情報の生成を行う（ステップＳ１１）。そして、生成された課金情報は課金サーバ４０に送信され（ステップＳ１２）、この課金サーバ４０によってユーザ毎に課金額等の管理がなされる。
【００４７】
以上説明したように、本実施形態に係るコンテンツ配信システム１では、不完全データを端末装置２０に送信するので、端末装置２０においてコンテンツデータの一部を閲覧することができる。不完全データの送信は放送網５０を介して行うので、コンテンツデータの一部閲覧を多くの端末装置２０において実行させることができる。また、コンテンツデータの欠落部分は通信網３０を介して補完するので、どの端末装置２０に対して欠落部分の補完を行ったかを把握することができる。
【００４８】
さらに、放送網５０を介して送信される不完全データと通信網３０を介して送信される補完データとを合成してコンテンツデータを復元するので、例えば、不完全データによってコンテンツを一部閲覧したユーザがその閲覧した不完全データをサンプルとして補完データを要求し、完全なコンテンツデータを入手することができる。また、補完データの生成にあたって、不完全データとその生成元のコンテンツデータとは、不完全データの送信時刻が基準として対応付けられているので、不完全データの欠落部分を正確に把握できる。これにより、端末装置２０におけるコンテンツの復元精度を向上させることができる。
【００４９】
また、コンテンツ配信システム１では、不完全データ生成部１０２による不完全データの生成パターンが複数用意されているため、第三者による不法行為（違法コピー、模倣など）を効果的に抑制することが可能となっている。さらに、ユーザに対する課金が端末装置２０と放送網５０との接続状態に依存しないので、ユーザに対して適切な課金を行うことができる。
【図面の簡単な説明】
【００５０】
【図１】本発明に係るコンテンツ配信システムの一実施形態を示すシステム構成図である。
【図２】コンテンツデータ及び不完全データの一例を示す図である。
【図３】図１に示したコンテンツ配信システムの動作を示すシーケンス図である。
【符号の説明】
【００５１】
１…コンテンツ配信システム、１０…配信サーバ、２０…端末装置、３０…通信網、４０…課金サーバ、５０…放送網、１０２…不完全データ生成部、１０３…不完全データ送信部、１０４…時刻情報付与部、１０６…補完データ生成部、１０７…データ判別部、１０８…補完データ送信部、１０９…課金情報生成部、２０４…補完データ要求送信部、２０６…コンテンツ復元部、Ｂ，Ｃ…（不完全データの）欠落部分。
【図１】
2006060325.tif 000003
【図２】
2006060325.tif 000004
【図３】
2006060325.tif 000005